(57)【要約】【課題】磁石の着脱および配置が容易で、血行促進効果を通気性を確保しつつ発揮できる健康マットを、低コストで提供する。【解決手段】遠赤外線を放射するエラストマーやゴム等の弾性素材を格子状に成形することで複数の貫通孔３が形成されたマット本体１と、複数の貫通孔３に対し選択的に着脱自在に取付けられる複数の血行促進用部材２とからなる健康マットであって、血行促進用部材２を、貫通孔３に嵌入される基部４ａおよび基部４ａより側方に張り出したフランジ部７ａ、７ｂを有し、樹脂で成形された取付基体４と、これら取付基体４に突起部（上部）５ａが露出してマット本体１上面より突出するようにして固着された磁石５とから構成する。【選択図】　図３
2004113707.tif 000002
【特許請求の範囲】
【請求項１】
遠赤外線を放射するエラストマーやゴム等の弾性素材を格子状に成形することで複数の貫通孔が形成されたマット本体と、前記複数の貫通孔に対し選択的に着脱自在に取付けられる複数の血行促進用部材とからなる健康マットであって、前記血行促進用部材を、貫通孔に嵌入される基部および基部より側方に張り出したフランジ部を有し、樹脂で成形された取付基体と、この取付基体に上部が露出してマット本体上面より突出するようにして固着された磁石とから構成したことを特徴とする健康マット。
【請求項２】
取付基体は、トルマリン等が混合されてマイナスイオンを発生する樹脂で成形されたものである請求項１記載の健康マット。
【請求項３】
磁石を備えた血行促進用部材に加え、前記取付基体に樹脂体をその上部が露出してマット本体上面より突出するようにして固着した指圧型の血行促進用部材を複数個備えている請求項１または２記載の健康マット。
【請求項４】
遠赤外線を放射するエラストマーやゴム等の弾性素材を格子状に成形することで複数の貫通孔が形成されたマット本体と、前記複数の貫通孔に対し選択的に着脱自在に取付けられる複数の血行促進用部材とからなる健康マットであって、前記血行促進用部材を、貫通孔に嵌入される基部および基部より側方に張り出したフランジ部および基部より上方に膨出してマット本体上面より突出する突起部を有し、トルマリン等が混合されてマイナスイオンを発生する樹脂で下面を開口した中空状に成形された取付基体と、複数の通気孔が形成され前記取付基体の下面開口をそれぞれ覆う裏蓋と、取付基体と裏蓋間に形成される空間内に充填される香料とから構成したことを特徴とする健康マット。
【請求項５】
遠赤外線を放射するエラストマーやゴム等の弾性素材を格子状に成形することで複数の貫通孔が形成されたマット本体と、前記複数の貫通孔に対し選択的に着脱自在に取付けられる複数の血行促進用部材とからなる健康マットであって、貫通孔に嵌入される基部および基部より側方に張り出したフランジ部を有し、樹脂で成形された取付基体と、この取付基体に上方が露出してマット本体上面より突出するようにして固着された磁石とから構成した第１の血行促進用部材と、貫通孔に嵌入される基部および基部より側方に張り出したフランジ部および基部より上方に膨出してマット本体上面より突出する突起部を有し、トルマリン等が混合されてマイナスイオンを発生する樹脂で下面を開口した中空状に成形された取付基体と、複数の通気孔が形成され前記取付基体の下面開口をそれぞれ覆う裏蓋と、取付基体と裏蓋間に形成される空間内に充填される香料とから構成した第２の血行促進用部材とを用い、それら第１、第２の血行促進用部材を任意に組み合わせてマット本体に取付けられるように構成したことを特徴とする健康マット。
【発明の詳細な説明】
【０００１】
【発明の属する技術分野】
本発明は、磁石等を用いて血行を促進して健康状態を良好にする健康マットに関するものでる。
【０００２】
【従来の技術】
従来より、磁石が発する磁気が人体に有用であり、血行を促進して健康状態を良好にする磁気治療効果を持たらすことが医学的にも認められたことから、磁石を血行促進用部材として用いた健康マットが種々、提案されてきている。なかでも寝具用の健康マットが広く知られている。
【０００３】
ところが、一般的な寝具用の健康マットは磁石埋め込み式であり、マット本体が汚れても洗濯できずに非衛生的であったり、使用者の好みや症状に応じて磁気量を調節できない等の問題があった。
【０００４】
そこで図７に示すように、磁石ａとバイオセラミックｂを血行促進用部材として用い、それらをマット本体ｃに設けられた嵌入穴ｄに任意に嵌入できる構成にした健康マットが提案されている（特許文献１参照）。この健康マットには、前記嵌入穴ｄ、ｄ間にそれらの穴径よりも小さい径の通気孔ｅとしての貫通孔が穿設されている。
【０００５】
また、図８に示すように、磁石ａを、それ単体でなく取付板ｆに取付けて血行促進用部材を構成し、この部材をマット本体ｃに対する着脱を容易にした健康マットも提案されている（特許文献２参照）。
【０００６】
【特許文献１】
特開平９−５６５２８号公報
【０００７】
【特許文献２】
実開平２−１５１６４公報
【０００８】
【発明が解決しようとする課題】
ところが、上記特許文献１記載のものは、血行促進用部材である磁石ａやバイオセラミックｂが、嵌入穴ｄに対し着脱可能な構成になっているものの、磁石ａやバイオセラミックｂはそれぞれ単体で嵌入穴ｄに強制的に嵌入し、使用中に離脱することなく固着されている（当該公報第２頁下から３行目）ので、それらをマット本体ｃにいったん固着すると取外すことが難しい。つまり嵌入穴ｄは有底であるので背面から嵌入物（磁石ａやバイオセラミックｂ）を押すことができず、弾力性のない木製のマット本体ｃから取外すのは極めて困難である。また、磁石ａやバイオセラミックｂは上面からの突出部分がないので、ツボ刺激により筋肉のコリをほぐす指圧マッサージ効果は期待できず、局所的刺激を必要とするマット面積の小さい足裏刺激マットやチェアマット等には適さない。さらに、有底の嵌入穴ｄと貫通孔である通気孔ｅとを別々に設ける必要があるので、製造コストがかかるという問題もある。
【０００９】
また特許文献２記載のものは、特許文献１記載のものとは異なり、磁石ａ単体でなく、取付板ｆを併用してマット本体ｃに対する着脱を容易にしている。ところがこの健康マットは、マット本体ｃの底面側に磁石ａが配置されているので、磁気が人体の深部まで到達しにくい上に皮膚表面への指圧マッサージ効果も期待できず、特許文献１記載のものと同様に、局所的刺激を必要とするマット面積の小さい健康マットには適さない。その上、細長い取付板ｆを列状に組み合わせるときに、列単位の選択により磁石ａを配置できる構成となっているため、使用者が所望する任意の位置に配置することが難しいという問題もある。尚、通気性を確保するためには、マット本体ｃに貫通孔を特別に穿設しなければならず、製造コストがかかってしまう。
【００１０】
本発明は、上記従来例の問題点に鑑み、磁石等からなる血行促進部材の着脱および配置が容易で、磁気治療効果および指圧マッサージ効果等の血行促進効果を、通気性を確保しつつ発揮できる健康マットを、低コストで提供することを目的とするものである。
【００１１】
【課題を解決するための手段】
請求項１記載の発明は上記目的を達成するため、遠赤外線を放射するエラストマーやゴム等の弾性素材を格子状に成形することで複数の貫通孔が形成されたマット本体と、前記複数の貫通孔に対し選択的に着脱自在に取付けられる複数の血行促進用部材とからなる健康マットであって、前記血行促進用部材を、貫通孔に嵌入される基部および基部より側方に張り出したフランジ部を有し、樹脂で成形された取付基体と、この取付基体に上部が露出してマット本体上面より突出するようにして固着された磁石とから構成したことを特徴とするものである。
【００１２】
上記発明によれば、血行促進効果を発揮する部材は従来のような磁石単体でなく、磁石に取付基体を合わせた血行促進用部材としてマット本体の貫通孔に着脱自在に取付けられるので、弾性のあるマット本体をしならせ且つ貫通孔に嵌入された取付基体の基部の底面を直に押圧する等して、極めて容易に磁石をマット本体から取外すことができる。そして基部が貫通孔に嵌入されると、基部より側方に張り出したフランジ部が貫通孔の周縁に係止されるので、使用中に血行促進用部材が離脱することはない。
【００１３】
また、マット本体を格子状に成形することで区画された矩形孔がそのまま貫通孔として複数形成され、その貫通孔を上記取付基体を介して取付けられる磁石の取付孔として、あるいは通気孔として兼用することができるので、通気性を容易に確保できると共に、通気孔を特別に穿設する手間がない上に素材が少なくて済むので製造コストを低く抑えることができる。そして上下左右に点在する複数の貫通孔（取付孔）に対して血行促進用部材を選択的、つまり使用者の好みや症状に応じて任意の数、位置を選択して取付けることができる。その血行促進用部材の磁石は、その上部が露出してマット本体上面より突出しているので、磁気治療効果を有効に発揮できると共に指圧マッサージ効果を発揮できる。
【００１４】
さらにマット本体は、遠赤外線を放射すると云われている、例えばブラックシリカやセラミックをエラストマーやゴム等に混合させることにより、人体細胞の活性化と新陳代謝を円滑にする効果を発揮し、磁石による前記効果に併せて健康マット全体の血行促進効果を高めることができる。そしてマット本体の密着性と着色性に優れたその素材の機能も活かして、チェアマット、足裏刺激マット、リスト（手首）マット、浴槽マット、座席の背もたれシート、便座マット等、様々な用途の健康マットとして幅広く製品化することができる。
【００１５】
また請求項２記載のように、上記発明において、取付基体を、トルマリン等が混合されてマイナスイオンを発生する樹脂で成形されたものに構成すると、マイナスイオンによる消臭や防カビ、心身へのリラックス効果を併せて発揮することができ、この取付基体のマイナスイオン効果と、マット本体の遠赤外線効果、磁石による磁気治療効果のトリプル効果も期待できる。
【００１６】
また請求項３記載のように、上記発明において、磁石を備えた血行促進用部材に加え、前記取付基体に樹脂体をその上部が露出してマット本体上面より突出するようにして固着した指圧型の血行促進用部材を複数個備えるように構成すると、樹脂体が指圧マッサージ効果のみを発揮し、使用者の好みや症状に応じて指圧型の血行促進用部材を磁石型の血行促進用部材と併用することができる。尚、樹脂体を取付基部より硬質にするとより好適である。
【００１７】
請求項４記載の発明は上記目的を達成するため、遠赤外線を放射するエラストマーやゴム等の弾性素材を格子状に成形することで複数の貫通孔が形成されたマット本体と、前記複数の貫通孔に対し選択的に着脱自在に取付けられる複数の血行促進用部材とからなる健康マットであって、前記血行促進用部材を、貫通孔に嵌入される基部および基部より側方に張り出したフランジ部および基部より上方に膨出してマット本体上面より突出する突起部を有し、トルマリン等が混合されてマイナスイオンを発生する樹脂で下面を開口した中空状に成形された取付基体と、複数の通気孔が形成され前記取付基体の下面開口をそれぞれ覆う裏蓋と、取付基体と裏蓋間に形成される空間内に充填される香料とから構成したことを特徴とするものである。
【００１８】
上記発明によれば、血行促進用部材がマット本体に対して容易に着脱でき、且つ使用中に離脱しないと云った請求項１記載の発明とほぼ同様の作用効果を奏することができることに加え、血行促進用部材として、突起部を有する取付基体とその下面開口を覆う裏蓋と香料とから構成しているので、磁気治療効果を除く指圧マッサージ効果と取付基体からのマイナスイオンやマット本体からの遠赤外線による上述した血行促進効果に加え、香料の芳香成分を裏面の通気孔を通じて発散させることができるので、香りによる精神安定等のアロマテラピー効果も併せて発揮することができる。
【００１９】
請求項５記載の発明は上記目的を達成するため、遠赤外線を放射するエラストマーやゴム等の弾性素材を格子状に成形することで複数の貫通孔が形成されたマット本体と、前記複数の貫通孔に対し選択的に着脱自在に取付けられる複数の血行促進用部材とからなる健康マットであって、貫通孔に嵌入される基部および基部より側方に張り出したフランジ部を有し、樹脂で成形された取付基体と、この取付基体に上方が露出してマット本体上面より突出するようにして固着された磁石とから構成した第１の血行促進用部材と、貫通孔に嵌入される基部および基部より側方に張り出したフランジ部および基部より上方に膨出してマット本体上面より突出する突起部を有し、トルマリン等が混合されてマイナスイオンを発生する樹脂で下面を開口した中空状に成形された取付基体と、複数の通気孔が形成され前記取付基体の下面開口をそれぞれ覆う裏蓋と、取付基体と裏蓋間に形成される空間内に充填される香料とから構成した第２の血行促進用部材とを用い、それら第１、第２の血行促進用部材を任意に組み合わせてマット本体に取付けられるように構成したことを特徴とするものである。
【００２０】
上記発明によれば、血行促進用部材として、請求項１に記載したような第１の血行促進用部材と請求項２に記載したような第２の血行促進用部材とを用いることによって、磁石による磁気治療部分と香料によるアロマテラピー効果を発揮できる指圧マッサージ部分を、使用者の症状や好みに応じて任意に選択しそれらをマット本体上に混在させて配置することができるので、上述したような請求項１記載の発明と請求項２記載の発明による相乗効果を期待できる。
【００２１】
【発明の実施の形態】
以下、本発明に係る実施形態について、図１〜図６を用いて説明する。
【００２２】
（第１実施例）
図１〜図４は、第１実施例に係る健康マットを示し、図１は血行促進用部材を示す全体斜視図、図２は取付基体を示し、（ａ）は平面図、（ｂ）は側面図、（ｃ）は（ａ）のＡ−Ａ’線断面図である。図３はこの健康マットを、リストマットや足裏刺激マットとして製品化した１例を示し、（ａ）は平面図、（ｂ）は（ａ）のＢ−Ｂ’線断面図、図４はこの健康マットを、チェアマットとして製品化した１例を示す平面図である。
【００２３】
第１実施例の健康マットは、マット本体（図３と図４）１に対し選択的に着脱自在に取付けられる複数の血行促進用部材（図１）２とから構成される。
【００２４】
マット本体１は図４のチェアマットの例で示すように、天然活性鉱石であるブラックシリカを混合させることにより、遠赤外線を放射するように構成したエラストマーやゴム等の弾性素材を格子状に成形することで、区画形成されたほぼ正方形状の複数の貫通孔３が形成される。貫通孔３は、図３（ａ）に示すようにその周縁にテーパ部３ａが形成された額縁型となっている。
【００２５】
血行促進用部材２は図１に示すように、取付基体４と磁石５とから構成され、取付基体４は、マット本体１を成形する弾性素材より硬質でマイナスイオンを発生する樹脂となるよう、トルマリンの粉末を全体の数％に練り込んで成形される。取付基体４は図２（ｂ）、（ｃ）に示すように、貫通孔３に嵌入される基部４ａが貫通孔３の形状と大きさに対応してほぼ断面正方形状で有底に形成され、その上面中央には、磁石５を嵌入して固着する嵌入穴６が凹設される。また、上面周囲の４角部にはフランジ部７ａが基部４ａより側方に張り出して形成される一方、下端辺にはフランジ部７ｂが前記フランジ部７ａと互い違いで、且つフランジ部７ａよりもやや小さく基部４ａより側方に張り出すように形成されている。フランジ部７ａの下面およびフランジ７ｂの上面は、貫通孔３の周縁のテーパ部３ａに対応したテーパ面となっており、基部４ａが貫通孔３に嵌入されたときに、テーパ部３ａに係止して、血行促進用部材２の離脱を防止している。
【００２６】
フランジ部７ａ、７ｂは、上下に重なりなく配されることにより、射出成形時に金型からの成形品の取出しが容易になるので、取付基体４の成形が容易になり製造コストを抑えることができる。しかし、その張り出し形状は、使用中の離脱を防止できるものであれば、本実施例に示すものに限定されない。
【００２７】
磁石５はフェライト磁石からなる１０００ガウスの永久磁石が好適であり、図２（ｃ）で仮想線で示すように、半球状の突起部（上部）５ａと、その下半部の円柱部５ｂとからなる。この磁石５は取付基体４の嵌入穴６に円柱部５ｂが嵌入され、突起部５ａが露出してマット本体１の上面より突出するように接着剤を介して固着される。
【００２８】
また、磁石５の代わりにそれと同形状で取付基体４より硬質で、且つマイナスイオンを発生する樹脂で成形した樹脂体を用いた指圧型の血行促進用部材を前記磁石型の血行促進用部材と併用することもできる。
【００２９】
図３は、第１実施例の健康マットを、リストマットや足裏刺激マット等として製品化した例を示している。この健康マットは、マット本体１を格子状に成形することで４つの貫通孔３が形成される。それら周縁には前記テーパ面３ａがそれぞれ形成される。血行促進用部材２をマット本体１の貫通孔３に取付けた場合、２つの貫通孔３は通気孔として機能し、残りの貫通孔３は血行促進用部材２の取付孔として機能する。マット本体１の４隅部には４つの貫通孔８が穿設され、例えば複数の健康マットを連結して用いるときの連結孔として機能し、紐等を通して使用できる。尚、図３では４つの貫通孔３に対し血行促進用部材２を２つ取付けているが、全部の貫通孔３に取付けても良い。
【００３０】
図４は、第１実施例の健康マットを、座面サイズの面積のチェアマットとして製品化した例を示している。この健康マットは、マット本体１を格子状に形成することで多数の貫通孔３が形成される。それら周縁には前記テーパ面３ａがそれぞれ形成される。図４では１６個×１６個の貫通孔３に対し血行促進用部材２を４個×４個取付け、その他の貫通孔３を通気孔としているが、それらの数や位置は使用者の好みや症状に応じて任意に設定することができる。
【００３１】
本発明の健康マットは、格子形状による軽量化に加え、マット本体１がエラストマーやゴム等の弾性素材で成形されていることにより、密着性と着色性に優れたその素材の機能も活かして、上記に挙げた製品以外に、浴槽の底に沈めて使用する浴槽マットや、自動車の座席の背もたれ部で使用する背もたれシート、便座マット、寝具用マット等、様々な用途の健康マットとして幅広く製品化することができる。具体的には、背もたれシートとして自動車の座席で使用する場合には、図４に示したチェアマットよりやや細長い形状のマット本体１を用い、その隅部に穿設された貫通孔８に紐を通し、ヘッドレストに掛けて使用することができる。また、寝具用マットとして使用する場合には、チェアマットを貫通孔８を利用して３枚連結して使用すると好適であり、このマットの上にシーツや毛布等を被せて使用しても良い。
【００３２】
第１実施例によれば、磁石５と取付基体４とからなる血行促進用部材２を、マット本体１の貫通孔３に着脱自在に取付ける構成としているので、弾性のあるマット本体１をしならせ且つ取付基体４の基部４ａの底面を直に押圧する等して極めて容易に磁石５をマット本体１から取外すことができる。そして基部４ａが貫通孔３に嵌入されると、図３（ｂ）に示すように、基部４ａより側方に張り出したフランジ部７ａ、７ｂが、貫通孔３の表側および裏側の周縁にそれぞれ係止されるので、使用中に血行促進用部材２が離脱することはない。その上、取付基体４はマット本体１より硬質であると共に、マット本体１の周縁がテーパ部３ａとなっているので、マット本体１に対する取付基体４の着脱動作がより容易になる。
【００３３】
また、マット本体１を格子状に成形することで区画された矩形孔がそのまま貫通孔３として複数形成され、それら貫通孔３を取付基体４を介した磁石５の取付孔として、あるいは通気孔として兼用することができるので、通気性を容易に確保できると共に、通気孔４ａを穿設する手間がない上に素材が少なくて済むので製造コストを低く抑えることができる。そして上下左右に点在する貫通孔（取付孔）３に対し、使用者の好みや症状に応じて任意の数、位置を選択して血行促進用部材２を取付けることができる。その血行促進用部材２は、その上部が露出してマット本体１上面より突出しているので、磁気治療効果を有効に発揮できると共に指圧マッサージ効果を発揮できる。
【００３４】
さらに、磁気治療効果や指圧マッサージ効果に加え、消臭や防カビ、心身へのリラックス効果があると云われているマイナスイオンを発生する樹脂で取付基体４を成形し、人体細胞の活性化と新陳代謝を円滑にするという効果があると云われている遠赤外線を放射する弾性素材でマット本体１を成形しているので、取付基体４のマイナスイオン効果、マット本体１の遠赤外線効果、磁石５による磁気治療効果のトリプル効果も期待できる。
【００３５】
（第２実施例）
図５と図６は、第２実施例に係る健康マットに用いる血行促進用部材を示している。尚、第２実施例では製品化した健康マットの図示は省略し、マット本体１は第１実施例の図を参酌する。第２実施例の血行促進用部材は、図５に示す取付基体１４と図６に示す裏蓋９と図示しない香料とから構成される（血行促進用部材の完成図は省略する。）。取付基体１４および裏蓋９は、マット本体１を成形する弾性素材より硬質でマイナスイオンを発生する樹脂となるよう、トルマリンの粉末を全体の数％に練り込んで成形される。
【００３６】
取付基体１４は図５（ｂ）、（ｃ）に示すように、貫通孔３に嵌入される基部１４ａが貫通孔３の形状と大きさに対応してほぼ断面正方形状の筒状に形成されると共に、その上方に半球状の突起部１４ｂをマット本体１の上面より突出するように膨出形成し、下面が開口した中空状に形成されている。基部１４ａと突起部１４ｂとの境界面の４角部には、フランジ部７ｃが基部１４ａより側方に張り出して形成される一方、下端辺には、フランジ部７ｄが前記フランジ部７ｃと互い違いで且つフランジ部７ｃよりもやや小さく基部１４ａより側方に張り出すように形成されている。
【００３７】
フランジ７ｃ、７ｄは、第１実施例と同様に上下に向き合う面が、貫通孔３のテーパ部３ａに対応したテーパ面となり、基部１４ａが貫通孔３に嵌入されたときにテーパ部３ａに係止する。また第２実施例においても上下のフランジ部７ｃ、７ｄが上下に重なりなく配されることにより、射出成形時に金型からの成形品の取出しが容易になるので、製造が容易になり製造コストを抑えることができる。
【００３８】
尚、基部１４ａの下端には、後述する裏蓋９のフランジ９ｂの厚み分だけ切り欠いた切欠き７ｅが形成されている。また、突起部１４ｂの径は、中空部を大きく形成して香料を充填し易いように、基部１４ａの断面形状である正方形の１辺の長さとほぼ同じに形成されているが、図２で示した嵌入穴６のように前記１辺の長さより短い径とすることにより、小さめにすることもできる。
【００３９】
図６は、取付基体１４の下面開口を覆う裏蓋９を示し、（ａ）は平面図、（ｂ）は側面図である。この裏蓋９は、取付基体１４の基部１４ａの内側に嵌入されるように形成されたほぼ断面正方形状の筒状部９ａを有する箱型で、その底面の４角部には、前記切欠き７ｅ部分に、取付基体１４のフランジ部７ｄと互い違いに嵌め込まれて、フランジ部７ｄと共に貫通孔３の裏側のテーパ部３ａに係止するフランジ部９ｂを張り出し形成している。裏蓋２の底面には、複数の通気孔１０がクロス状に穿設され、その中央に裏蓋９を開放するために楊枝等を挿入するピン孔１１が穿設されている。中空状に形成された取付基体１４と裏蓋９間に形成される空間内には、粒状の固形香料が充填される。
【００４０】
上記のように取付基体１４、裏蓋９、香料からなる第２実施例の血行促進用部材は、第１実施例と同様にしてマット本体１に取付けられ製品化され、図４で示したようなチェアマットに好適に使用できる。
【００４１】
第２実施例によれば、血行促進用部材がマット本体１に対して容易に着脱でき、且つ使用中に離脱しないと云った第１発明とほぼ同様の作用効果を奏することができることに加え、血行促進用部材として、突起部１４ｂを有する取付基体１４とその下面開口を覆う裏蓋９と香料とから構成しているので、磁気治療効果を除く指圧マッサージ効果と取付基体４からのマイナスイオンやマット本体からの遠赤外線による上述した血行促進効果に加え、香料の芳香成分を裏面の通気孔１０を通じて発散させることができるので、香りによる精神安定等のアロマテラピー効果も併せて発揮することができる。
【００４２】
（第３実施例）
第３実施例は、図示は省略するが、第１実施例で示したマット本体に取付ける血行促進用部材として、第１実施例の血行促進用部材（第１の血行促進用部材）と第２実施例の血行促進用部材（第２の血行促進用部材）とを用い、それらを任意の数および位置に組み合わせてマット本体に取付けられるように構成している。
【００４３】
この第３実施例によれば、血行促進用部材として第１、第２の血行促進用部材を用いることによって、磁石による磁気治療部分および香料によるアロマテラピー効果を発揮できる指圧マッサージ部分を、使用者の症状や好みに応じて任意に選択しそれらをマット本体上に混在させて配置することができるので、上述したような第１実施例と第２実施例による相乗効果を期待できる。
【００４４】
【発明の効果】
以上説明したように、本発明によれば、血行促進用部材は磁石単体でなく取付基体と合わせて、格子状に成形されたマット本体に対して容易かつ選択的に着脱できるので、使用者の好みや症状に応じてその数や位置を選択して、通気性を確保しつつ磁気治療効果および指圧マッサージ効果等の血行促進効果、そして指圧用の突起部内に香料を充填すればアロマテラピー効果も併せて発揮できる健康マットを、低コストで、幅広い用途に製品化することができる。
【図面の簡単な説明】
【図１】本発明の第１実施例における血行促進用部材を示す斜視図。
【図２】同実施例における血行促進用部材の取付基体を示し、（ａ）は平面図、（ｂ）は側面図、（ｃ）は（ａ）のＡ−Ａ’線断面図。
【図３】同実施例に係る健康マットの１例を示し、（ａ）は平面図、（ｂ）は（ａ）のＢ−Ｂ’線断面図。
【図４】同実施例に係る健康マットの他の例を示す平面図。
【図５】本発明の第２実施例における血行促進用部材の取付基体を示し、（ａ）は平面図、（ｂ）は側面図、（ｃ）は（ａ）のＣ−Ｃ’線断面図。
【図６】同実施例における裏蓋を示し、（ａ）は平面図、（ｂ）は側面図。
【図７】従来例を示す斜視図。
【図８】別な従来例を示す断面図。
【符号の説明】
１　マット本体
２　血行促進用部材
３　貫通孔
４、１４　取付基体
４ａ、１４ａ　基部
５　磁石
５ａ　突起部（上部）
７ａ、７ｂ、７ｃ、７ｄ　フランジ部
９　裏蓋
１０　通気孔
１４ｂ　突起部
【図１】
2004113707.tif 000003
【図２】
2004113707.tif 000004
【図３】
2004113707.tif 000005
【図４】
2004113707.tif 000006
【図５】
2004113707.tif 000007
【図６】
2004113707.tif 000008
【図７】
2004113707.tif 000009
【図８】
2004113707.tif 000010